(57)【特許請求の範囲】
【請求項１】
記憶媒体と、
原稿の画像を読取る画像読取り手段と、
前記記憶媒体の残り容量を検出する検出手段と、
この検出手段により検出される前記記憶媒体の残り容量を予め設定されている各しきい値と比較する比較手段と、
この比較手段により前記記憶媒体の残り容量が第１のしきい値を下回るとき、前記画像読取り手段による読取り動作開始が指令されたことに応じて前記記憶媒体の容量不足を警告する警告手段と、
前記記憶媒体の記憶容量が前記第１のしきい値より小さい第２のしきい値以上の値であれば、前記警告手段による警告が発せられてから一定時間経過後に前記画像読取り手段による読取り動作を開始させ、前記記憶媒体の記憶容量が前記第２のしきい値より小さい値であれば、前記記憶媒体に保存されているデータを削除する制御手段と、
を具備することを特徴とする画像処理装置。
【請求項２】
前記警告手段による警告が発せられたことに応じて前記記憶媒体のデータを削除するか否かの削除選択手段を有効にする削除選択待ち手段と、
前記削除選択手段により削除することが選択された場合には前記記憶媒体に保存されているデータを削除するデータ削除手段と、
をさらに具備することを特徴とする請求項１記載の画像処理装置。
【請求項３】
記憶媒体と、
原稿の画像を読取る画像読取り手段と、
前記記憶媒体の残り容量を検出する検出手段と、
この検出手段により検出される前記記憶媒体の残り容量を予め設定されている各しきい値と比較する比較手段と、
この比較手段により前記記憶媒体の残り容量が第１のしきい値を下回るとき、前記画像読取り手段による読取り動作開始が指令されたことに応じて前記記憶媒体の容量不足を警告する警告手段と、
前記記憶媒体の記憶容量が前記第１のしきい値より小さい第２のしきい値以上の値であれば、前記警告手段による警告が発せられてから一定時間経過後に、前記画像読取り手段による読取り動作を開始させる第１のパターン、前記第２のしきい値より小さく、第２のしきい値よりも小さい第３のしきい値以上であれば、読取り動作を中止させる第２のパターン、前記第３のしきい値より小さい値であれば、前記記憶媒体に保存されているデータを削除するパターン３を制御する制御手段と、
を具備することを特徴とする画像処理装置。
【請求項４】
前記警告手段による警告が発せられたことに応じて前記画像読取り手段による画像読取り動作を実行するか中止するかの動作選択手段を有効にする動作選択待ち手段と、前記動作選択手段により実行することが選択された場合には前記画像読取り手段による読取り動作を開始させ、中止することが選択された場合には読取り動作を中止させる動作制御手段と、をさらに具備することを特徴とする請求項３に記載の画像処理装置。
【請求項５】
前記警告手段による警告が発せられたことに応じて前記記憶媒体のデータを削除するか否かの削除選択手段を有効にする削除選択待ち手段と、
前記削除選択手段により削除することが選択された場合には前記記憶媒体に保存されているデータを削除するデータ削除手段と、
をさらに具備することを特徴とする請求項３記載の画像処理装置。
【請求項６】
画像読取り手段により読取られた画像データを記憶媒体に保存するようにした画像処理
装置の前記記憶媒体の容量判定方法であって、
前記記憶媒体の残り容量を検出し、
検出された前記記憶媒体の残り容量を予め設定されている各しきい値と比較し、
前記記憶媒体の残り容量が第１のしきい値を下回るとき、画像読取り動作開始が指令されたことに応じて前記記憶媒体の容量不足を警告し、
前記記憶媒体の記憶容量が前記第１のしきい値より小さい第２のしきい値以上の値であれば、警告が発せられてから一定時間経過後に画像読取り動作を開始させ、前記記憶媒体の記憶容量が前記第２のしきい値より小さい値であれば、前記記憶媒体に保存されているデータを削除するようにしたことを特徴とする記憶媒体の容量判定方法。
【請求項７】
前記記憶媒体の容量不足の警告が発せられたことに応じて前記記憶媒体のデータを削除するか否かの削除選択手段を有効にし、
前記削除選択手段により削除することが選択された場合には前記記憶媒体に保存されているデータを削除するようにしたことを特徴とする請求項６記載の記憶媒体の容量判定方法。
【請求項８】
画像読取り手段により読取られた画像データを記憶媒体に保存するようにした画像処理
装置の前記記憶媒体の容量判定方法であって、
前記記憶媒体の残り容量を検出する検出し、
検出された前記記憶媒体の残り容量を予め設定されている各しきい値と比較し、
前記記憶媒体の残り容量が第１のしきい値を下回るとき、画像読取り動作開始が指令されたことに応じて前記記憶媒体の容量不足を警告し、
前記記憶媒体の記憶容量が前記第１のしきい値より小さい第２のしきい値以上の値であれば、警告が発せられてから一定時間経過後に、画像読取り動作を開始させる第１のパターン、前記第２のしきい値より小さく、第２のしきい値よりも小さい第３のしきい値以上であれば、画像読取り動作を中止させる第２のパターン、前記第３のしきい値より小さい値であれば、前記記憶媒体に保存されているデータを削除するパターン３を制御するようにしたことを特徴とする記憶媒体の容量判定方法。
【請求項９】
前記記憶媒体の容量不足の警告が発せられたことに応じて前記画像読取り手段による画像読取り動作を実行するか中止するかの動作選択手段を有効にし、前記動作選択手段により実行することが選択された場合には前記画像読取り動作を開始させ、中止することが選択された場合には前記画像読取り動作を中止させるようにしたことを特徴とする請求項８に記載の記憶媒体の容量判定方法。
【請求項１０】
前記警告手段による警告が発せられたことに応じて前記記憶媒体のデータを削除するか否かの削除選択手段を有効にし、
前記削除選択手段により削除することが選択された場合には前記記憶媒体に保存されているデータを削除するようにしたことを特徴とする請求項８記載の記憶媒体の容量判定方法。
【発明の詳細な説明】
【技術分野】
【０００１】
本発明は、読取った画像データをハードディスク等の記憶媒体に保存する画像処理装置に関する。特に、前記記憶媒体の容量不足を警告できる画像処理装置並びに前記記憶媒体の容量判定方法に関する。
【背景技術】
【０００２】
近年、画像処理装置の一例として複合機が知られている。複合機は、カラーコピー機能、スキャン機能、プリント機能等を有する複合型複写機である。一般に、複合機は、大容量の記憶媒体としてハードディスクを内蔵している。ハードディスクには、オペレーティングシステム（ＯＳ）や各種アプリケーションプログラム等が保存されている。またハードディスクには、ファイルボックスエリアが確保されている。ファイルボックスエリアには、スキャン機能により原稿画像を読取ったことにより得られる画像データのファイルが保存される。
【０００３】
従来、この種の画像処理装置においては、ハードディスクの容量判定方式として次のものが知られていた。先ず、ハードディスクの未使用領域を検出する。次に、該未使用領域の容量を残量として算出する。次に、この残量を所定値と比較する。そして残量が所定値より多い場合には、該残量を百分率で表示する。残量が所定値より少ない場合には、該残量を枚数単位に変更して表示する（例えば、特許文献１参照）。
【特許文献１】特開２００３−０７８６８７号公報
【発明の開示】
【発明が解決しようとする課題】
【０００４】
従来の方式では、ユーザは、表示部に表示された情報からハードディスクの残り容量が多いのか少ないのかを知ることができる。しかしながら、ユーザが常にハードディスクの残り容量を確認してからスキャン動作を実行するとは限らない。ハードディスクの残り容量が少ないにも拘らずスキャン動作を実行してしまうユーザがいる。ハードディスクの残り容量が少ないときにスキャン動作を実行してしまうと、読取った原稿画像のデータを保存できないためにエラーとなる。このとき、読取られた画像データは破棄される。
【０００５】
本発明はこのような事情に基づいてなされたもので、その目的とするところは、読取った画像データを保存するための記憶媒体の残り容量が少ないときの画像読取り操作に対して警告を発することができる画像処理装置及び前記記憶媒体の容量判定方法を提供しようとするものである。
【課題を解決するための手段】
【０００６】
上記目的を達成するために、実施態様の画像処理装置は、記憶媒体と、原稿の画像を読取る画像読取り手段と、前記記憶媒体の残り容量を検出する検出手段と、この検出手段により検出される前記記憶媒体の残り容量を予め設定されている各しきい値と比較する比較手段と、この比較手段により前記記憶媒体の残り容量が第１のしきい値を下回るとき、前記画像読取り手段による読取り動作開始が指令されたことに応じて前記記憶媒体の容量不足を警告する警告手段と、前記記憶媒体の記憶容量が前記第１のしきい値より小さい第２のしきい値以上の値であれば、前記警告手段による警告が発せられてから一定時間経過後に前記画像読取り手段による読取り動作を開始させ、前記記憶媒体の記憶容量が前記第２のしきい値より小さい値であれば、前記記憶媒体に保存されているデータを削除する制御手段と、を具備することをその要旨とする。
【発明を実施するための最良の形態】
【０００８】
以下、本発明を実施するための最良の形態について、図面を用いて説明する。  
なお、この実施の形態は、画像処理装置の一態様である複合機に、本発明を適用した場合である。
【０００９】
図１は上記複合機の外観図である。カラーコピー機能、スキャン機能、プリント機能、ファックス機能等を有する複合型複写機、いわゆる複合機は、本体１の下部に複数の給紙カセット２が装着されている。各カセット２には、記録媒体である各種サイズの用紙が収容される。本体１の上部には排紙トレイ３が形成されている。給紙カセット２から給紙され、カラーコピー機能またはプリント機能によって画像が形成された用紙が上記排紙トレイ３に排出される。
【００１０】
給紙カセット２のさらに上部に原稿台４が設けられている。原稿台４の上部には、自動原稿送り装置（ＡＤＦ）５が開閉自在に設けられている。原稿台４に置かれた原稿の画像が、スキャン機能またはカラーコピー機能によって読取られる。
【００１１】
原稿台４の正面側には、コントロールパネル６が設けられている。コントロールパネル６は、図２に示すように、タッチパネル７と操作パネル８とで構成されている。操作パネル８には、テンキー８１が設けられている。また、クリアボタン８２，スタートボタン８３，ストップボタン８４，リセットボタン８５，ファクスボタン８６，コピーボタン８７，スキャンボタン８８，ファイリングボックスボタン８９等の各種ファンクションボタンが設けられている。
【００１２】
ファクスボタン８６は、ファクシミリ機能を使用するときに操作される。コピーボタン８７は、コピー機能を使用するときに操作される。スキャンボタン８８は、スキャン機能を使用するときに操作される。ファイリングボックスボタン８９は、保存した画像データを取り出すときに操作される。スタートボタン８３は、コピー，スキャン，ファックスの動作を開始するときに操作される。ストップボタン８４は、画像データの読込み及びコピー動作を停止させるときに操作される。リセットボタン８５は、選択した機能を解除するときに操作される。
【００１３】
タッチパネル７は、コピー，スキャン，ファックス等の各種機能の設定操作に使用される。また、用紙切れ，紙詰まりなどのエラー表示を行う。本実施の形態では、後述するハードディスク１４１の残り容量が少ないときのスキャン動作の開始指令に応じて、上記タッチパネル７を介して警告が発せられる。ハードディスク１４１は、読取った画像データを保存するための記憶媒体である。
【００１４】
図３は上記複合機の要部構成を示すブロック図である。複合機には、画像処理部に相当するＣＰＵ１０が設けられている。そしてこのＣＰＵ１０に、ＲＯＭ１１，揮発性ＲＡＭ１２，不揮発性ＲＡＭ１３，ハードディスクドライブ１４，パネル制御セクション１５，スキャナ制御セクション１６，コピー制御セクション１７，プリンタ制御セクション１８，ネットワーク制御セクション１９及びファクシミリ制御セクション２０が接続されている。
【００１５】
ＲＯＭ１１には、本体１の動作に必要な各種の制御プログラムが記憶されている。揮発性ＲＡＭ１２には、ページメモリや画像メモリ等のメモリエリアが形成されている。画像メモリは、スキャン機能により読取られた画像データを一時的に格納するための領域である。ページメモリは、プリント機能によって画像形成を行うための画像データを一時的に保存するための領域である。不揮発性ＲＡＭ１３には、各種の設定データが記憶されている。ハードディスクドライブ１４は、磁気ディスクであるハードディスク１４１とそのコントローラ１４２とを内蔵したものである。
【００１６】
パネル制御セクション１５は、前記コントロールパネル６におけるタッチパネル７の画面表示を制御する。また、上記タッチパネル７及び操作パネル８からの操作信号を取り込む。
【００１７】
スキャナ制御セクション１６は、画像読取り部に相当するスキャナ２１を用いたスキャン機能を制御する。プリンタ制御セクション１８は、画像形成部に相当するプリンタ２２を用いたプリント機能を制御する。コピー制御セクション１７は、上記スキャナ２１とプリンタ２２とを用いた通常のコピー機能を制御する。
【００１８】
ネットワーク制御セクション１９は、ネットワークインターフェイス２３に接続されたローカルエリアネットワーク（ＬＡＮ）２４を介して、パソコン等の外部端末との間で行うデータ通信を制御する。ファクシミリ制御セクション２０は、回線インターフェイス２５に接続されたファクシミリ通信網２６を介して、ファクシミリ端末等の外部端末との間で行うファクシミリ通信を制御する。
【００１９】
前記ハードディスク１４１の記憶領域は、図４に示すように、システム用のパーティションＰ１と、アプリケーション用のパーティションＰ２と、データ用のパーティションＰ３と、バックアップ用のパーティションＰ４とに分割されている。システム用のパーティションＰ１には、オペレーティングシステム（ＯＳ）等のシステム関連のプログラムが保存される。アプリケーション用のパーティションＰ２には、各種のアプリケーションプログラムが保存される。データ用のパーティションＰ３には、スキャン機能により読取られた画像データ等が保存される。バックアップ用のパーティションＰ４には、バックアップデータが保存される。
【００２０】
不揮発性ＲＡＭ１３には、図５に示すように、容量データテーブルエリア１３１と、動作パターン設定エリア１３２とが形成されている。容量データテーブルエリア１３１には、ハードディスク１４１のパーティションＰ１〜Ｐ４別に、総容量Ａ１〜Ａ４、使用容量Ｂ１〜Ｂ４及び残り容量Ｃ１〜Ｃ４が記憶される。総容量Ａ１〜Ａ４は、各パーティションＰ１〜Ｐ４の編成時に決定される。使用容量Ｂ１〜Ｂ４は、各パーティションＰ１〜Ｐ４にそれぞれ格納されるデータのサイズから算出される。残り容量Ｃ１〜Ｃ４は、対応するパーティションＰ１〜Ｐ４の総容量Ａ１〜Ａ４から使用容量Ｂ１〜Ｂ４を減算して算出される。
【００２１】
動作パターン設定エリア１３２には、後述する第１〜第３のパターンのうちいずれのパターンを選択するかを設定する情報が記憶される。因みに本実施の形態では、第１のパターンを選択する情報を「実行」とし、第２のパターンを選択する情報を「確認」とし、第３のパターンを選択する情報を「削除」とする。
【００２２】
かかる構成を有した複合機は、ユーザがスキャンボタン８８を操作すると、スキャン機能が選択される。次いで、ユーザがスタートボタン８３を操作すると、ＣＰＵ１０が図６の流れ図にその主要な手順を示すスキャンジョブを開始する。
【００２３】
先ず、ＣＰＵ１０は、ステップＳＴ１として容量データテーブルエリア１３１からデータ用パーティションＰ３の残り容量Ｃ３を取得する（検出手段）。次に、ＣＰＵ１０は、ステップＳＴ２として残り容量Ｃ３を予め設定されたしきい値Ｌ１と比較する（比較手段）。
【００２４】
その結果、残り容量Ｃ３がしきい値Ｌ１以上の場合には、ＣＰＵ１０は、ステップＳＴ１２としてスキャンジョブを実行する。すなわち、スキャナ制御セクション１６を介してスキャナ２１をスキャン動作させて、原稿台４に置かれた原稿の画像を読取る（画像読取り手段）。読取られた画像データは揮発性ＲＡＭ１２の画像メモリに格納される。ＣＰＵ１０は、画像メモリに格納された画像データをファイル化する。そして、ファイル化された画像データを、記憶媒体であるハードディスク１４１のデータ用パーティションＰ３に書き込む（画像処理手段）。以上で、ＣＰＵ１０はスキャンジョブを終了する。
【００２５】
残り容量Ｃ３がしきい値Ｌ１より少ない場合には、ＣＰＵ１０は、ステップＳＴ３として動作パターン設定エリア１３２に設定されている情報をチェックする。
【００２６】
動作パターン設定エリア１３２に情報「実行」が設定されていた場合には、ＣＰＵ１０は、第１のパターンの警告処理を実行する。すなわちＣＰＵ１０は、ステップＳＴ４として、図７に示すように、タッチパネル７に警告メッセージ「ＨＤＤ残量が少なくなりました」を表示させる（警告手段）。次に、ステップＳＴ５として警告メッセージを表示させてから一定時間（例えば５秒）が経過するのを待機する。一定時間が経過したならば、ＣＰＵ１０は、ステップＳＴ１２としてスキャンジョブを実行する（時間制御手段）。
【００２７】
動作パターン設定エリア１３２に情報「確認」が設定されていた場合には、ＣＰＵ１０は、第２のパターンの警告処理を実行する。すなわちＣＰＵ１０は、ステップＳＴ６として、図８に示すように、タッチパネル７に警告メッセージ「ＨＤＤ残量が少なくなりました」を表示させる（警告手段）。また、タッチパネル７にスキャンを実行するか中止するかの選択をユーザに促す動作選択手段としてのタッチボタン「はい」，「いいえ」を表示させる。そしてＣＰＵ１０は、ステップＳＴ７としてタッチボタンのいずれか一方がタッチ操作されるのを待機する（動作選択待ち手段）。
【００２８】
ユーザは、スキャンを中止する場合にはボタン「はい」をタッチ操作する。スキャンを実行する場合にはボタン「いいえ」をタッチ操作する。ＣＰＵ１０は、ボタン「はい」がタッチ操作された場合には、ステップＳＴ８として今回のスキャンジョブを消去する。ボタン「いいえ」がタッチ操作された場合には、ステップＳＴ１２としてスキャンジョブを実行する（動作制御手段）。
【００２９】
動作パターン設定エリア１３２に情報「削除」が設定されていた場合には、ＣＰＵ１０は、第３のパターンの警告処理を実行する。すなわちＣＰＵ１０は、ステップＳＴ９として、図９に示すように、タッチパネル７に警告メッセージ「ＨＤＤ残量が少なくなりました」を表示させる（警告手段）。また、タッチパネル７にハードディスク１４１に保存されているデータを削除するか否かの選択をユーザに促す削除選択手段としてのタッチボタン「はい」，「いいえ」を表示させる。そしてＣＰＵ１０は、ステップＳＴ１０としてタッチボタンのいずれか一方がタッチ操作されるのを待機する（削除選択待ち手段）。
【００３０】
ユーザは、ハードディスク１４１のデータを削除する場合にはボタン「はい」をタッチ操作する。削除しない場合にはボタン「いいえ」をタッチ操作する。ＣＰＵ１０は、ボタン「はい」がタッチ操作された場合には、ステップＳＴ１１としてハードディスク１４１におけるデータ用パーティションＰ３に格納されているデータを削除する（データ削除手段）。しかる後、ステップＳＴ１２としてスキャンジョブを実行する。ボタン「いいえ」がタッチ操作された場合には、ステップＳＴ１２としてスキャンジョブを実行する。このとき、ハードディスク１４１のデータは削除されない。
【００３１】
このように本実施の形態においては、スキャナ２１による原稿画像の読取り動作開始が指令されたことに応じて、ハードディスク１４１の残り容量Ｃ３が検出される。残り容量Ｃ３は、スキャナ２１によって読取られた画像データを保存するための領域、つまりデータ用パーティションＰ３の空き容量である。残り容量Ｃ３は、データ用パーティションＰ３の総容量Ａ１と現時点の使用容量Ｂ２とからリアルタイムに算出されている。
【００３２】
残り容量Ｃ３が検出されると、この残り容量Ｃ３が予め設定されたしきい値Ｌ１と比較される。そして、残り容量Ｃ３がしきい値Ｌ１以上ある場合には、無条件でスキャンジョブが実行される。
【００３３】
これに対し、残り容量Ｃ３がしきい値Ｌ１以下の場合には、読取り動作が開始される前にハードディスク１４１の残り容量が少ないことを示す警告が発せられる。コントロールパネル６に設けられたタッチパネル７に、所定の警告メッセージを表示させることによって、警告が発せられる。
【００３４】
ここで、動作パターン設定エリア１３２に情報「実行」が設定されていた場合には、警告メッセージが表示されてから所定時間が経過すると自動的にスキャンジョブが実行される。ただし、この時間内にリセットボタン８５が操作された場合には、スキャン動作が中止される。したがって、ハードディスク１４１の残り容量が少ないにも拘らずスキャン動作を実行してしまい、画像データが破棄されるのを未然に防ぐことができる。
【００３５】
また、動作パターン設定エリア１３２に情報「確認」が設定されていた場合には、スキャンを実行するか中止するかの選択をユーザに促すボタン「はい」，「いいえ」がタッチパネル７に表示される。スキャンを実行しない場合には、ユーザはボタン「はい」をタッチする。そうすると、スキャンジョブが中止される。したがって、この場合もハードディスク１４１の残り容量が少ないにも拘らずスキャン動作を実行してしまい、画像データが破棄されるのを未然に防ぐことができる。しかも、中止を指令するボタンが、警告メッセージとともにタッチパネル７上に表示されるので、操作性がよい。
【００３６】
また、動作パターン設定エリア１３２に情報「削除」が設定されていた場合には、ハードディスク１４１に保存されているデータを削除するか否かの選択をユーザに促すボタン「はい」，「いいえ」がタッチパネル７に表示される。データを削除する場合には、ユーザはボタン「はい」をタッチする。そうすると、ハードディスク１４１のデータ用パーティションＰ３に保存されていたデータが削除される。しかる後、スキャン動作が実行される。データの削除によりデータ用パーティションＰ３の残り容量は増えるので、スキャンされた画像データのファイルはハードディスク１４１に確実に保存される。したがって、この場合もやはり、ハードディスク１４１の残り容量が少ないにも拘らずスキャン動作を実行してしまい、画像データが破棄されるのを未然に防ぐことができる。また、データの削除を指令するボタンが、警告メッセージとともにタッチパネル７上に表示されるので、やはり操作性に優れている。
【００３７】
なお、この発明は前記実施形態そのままに限定されるものではなく、実施段階ではその要旨を逸脱しない範囲で構成要素を変形して具体化できる。
【００３８】
例えば前記実施の形態では、ハードディスク１４１の残り容量が少ないときの警告パターンとして３つのパターンを備えた場合を示した。しかし、本発明の別の実施形態として、これら３つのパターンのうちいずれか１つのパターンを備えた画像処理装置であってもよい。また、いずれか２つのパターンを備え、どちらか一方のパターンを選択的に設定できるようにした画像処理装置であってもよい。
【００３９】
また、３つのパターンをユーザが任意に選択して設定するのでなく、記憶媒体の残り容量に応じていずれか１つのパターンを動作させるようにしてもよい。この場合の実施形態を第２の実施の形態とする。この第２の実施の形態におけるＣＰＵ１０の処理手順を図１０の流れ図で示す。なお、図６と同一の処理ステップには同一の符号を付している。
【００４０】
先ず、ＣＰＵ１０は、ステップＳＴ１として容量データテーブルエリア１３１からデータ用パーティションＰ３の残り容量Ｃ３を取得する。次に、ＣＰＵ１０は、ステップＳＴ２として残り容量Ｃ３を予め設定された第１のしきい値Ｌ１と比較する。
【００４１】
その結果、残り容量Ｃ３が第１のしきい値Ｌ１より少ない場合には、ＣＰＵ１０は、ステップＳＴ２１として残り容量Ｃ３のレベルを判定する。そして、残り容量Ｃ３が第１のしきい値Ｌ１より小さい第２のしきい値Ｌ２以上のときには、前記第１のパターンの警告処理を実行する。残り容量Ｃ３が第２のしきい値Ｌ２より小さく、該第２のしきい値より小さい第３のしきい値Ｌ３以上のときには、前記第２のパターンの警告処理を実行する。残り容量Ｃ３が第３のしきい値Ｌ３より小さいときには、前記第３のパターンの警告処理を実行する。
【００４２】
この第２の実施の形態においては、残り容量Ｃ３が第１のしきい値Ｌ１より少なくなると、第１の警告処理が実行される。すなわち、スキャン動作開始が指令されたことに応じて警告メッセージが表示される。そして一定時間が経過すると、スキャンジョブが実行される。
【００４３】
残り容量Ｃ３がさらに低下して第２のしきい値Ｌ２より少なくなると、第２の警告処理が実行される。すなわち、スキャン動作開始が指令されたことに応じて警告メッセージが表示される。また、スキャン動作を実行するか中止するかの動作選択手段であるタッチボタン「はい」，「いいえ」がタッチパネル７に表示される。この場合、ボタン「はい」を選択することによって、スキャン動作を中止させることができる。
【００４４】
残り容量Ｃ３がさらに低下して第３のしきい値Ｌ３より少なくなると、第３の警告処理が実行される。すなわち、スキャン動作開始が指令されたことに応じて警告メッセージが表示される。また、ハードディスク１４１のデータを削除するか否かの動作選択手段であるタッチボタン「はい」，「いいえ」がタッチパネル７に表示される。この場合、ボタン「はい」を選択することによって、ハードディスク１４１のデータが削除される。これにより、ハードディスク１４１の残り容量Ｃ３が増加する。
【００４５】
このような第２の実施の形態においても、ハードディスク１４１の残り容量が少ないにも拘らず画像読取り動作を実行してしまい、画像データが破棄されるのを未然に防ぐことができる。
【００４６】
なお、画像データを保存するための記憶媒体は、ハードディスクに限定されるものではない。また、図４に示すように、ハードディスク１４１の記憶領域が複数のパーティションに区分されていなくてもよい。この場合は、ハードディスク全体の総容量と使用容量とから残り容量を算出し、この残り容量をしきい値と比較すればよい。また、使用容量を所定のしきい値と比較し、使用容量がしきい値を上回ったならば、残り容量が少ないことを示す警告を発するようにしてもよい。
【００４７】
また、本発明は複合機に限定されるものでない。スキャナ等の画像読取り手段を有し、読取った画像データをハードディスク等の記憶媒体に保存する画像処理装置であれば、本発明を同様に適用できるものである。
【００４８】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４９】
【図１】本発明の一実施の形態である複合機の外観図。
【図２】同複合機のコントロールパネルを示す平面図。
【図３】同複合機の要部構成を示すブロック図。
【図４】同複合機に内蔵されたハードディスクのパーティション構造を示す模式図。
【図５】同複合機の不揮発性ＲＡＭに形成される主要なメモリエリアを示す模式図。
【図６】同複合機のＣＰＵが実行するスキャンジョブ処理の要部手順を示す流れ図。
【図７】第１の警告パターンが選択されたときの警告表示例を示す模式図。
【図８】第２の警告パターンが選択されたときの警告表示例を示す模式図。
【図９】第３の警告パターンが選択されたときの警告表示例を示す模式図。
【図１０】ＣＰＵが実行するスキャンジョブ処理の他の実施形態を示す流れ図。
【符号の説明】
【００５０】
１…本体、４…原稿台、６…コントロールパネル、７…タッチパネル、１０…ＣＰＵ、１４…ハードディスクドライブ、２１…スキャナ、２２…プリンタ、１３１…容量データテーブルエリア、１３２…動作パターン設定エリア、１４１…ハードディスク。
【図１】
0004740007.tif 000002
【図２】
0004740007.tif 000003
【図３】
0004740007.tif 000004
【図４】
0004740007.tif 000005
【図５】
0004740007.tif 000006
【図６】
0004740007.tif 000007
【図７】
0004740007.tif 000008
【図８】
0004740007.tif 000009
【図９】
0004740007.tif 000010
【図１０】
0004740007.tif 000011